(57)【要約】【課題】複数の映像信号と音声信号の中から任意の組み合わせで映像信号と音声信号を選択し、記録や再生を行う場合、煩雑な操作や設定が必要であった。【解決手段】複数の機器から映像信号および音声信号が入力され、各々独立に選択された映像信号と音声信号を他の機器に出力する入出力切替部１と、入出力切替部１における信号の組合せ選択状態を制御する動作制御部２と、動作制御部２で制御するための組合せの情報を記憶する記憶部８とを備え、動作制御部２は、入出力切替部１に対で入力される映像信号と音声信号の組合せ以外に、特定の組合せを任意に設定し、設定された特定の組合せの情報を記憶部８に記憶するものである。この構成によって、複数ある映像信号と音声信号の組合せの中から、任意に設定した特定の組合せの映像信号と音声信号とを簡単かつ容易に選択することができる。【選択図】　図１
2004120048.tif 000002
【特許請求の範囲】
【請求項１】
複数の映像信号および複数の音声信号から任意の組合せで映像信号と音声信号を選択可能な装置であって、
外部入力端子または映像音声信号出力装置から複数の映像信号および複数の音声信号が入力され、各々独立に選択された映像信号と音声信号を外部出力端子または映像音声信号記録装置に出力する入出力切替部と、
前記入出力切替部における信号の組合せ選択動作を制御する動作制御部と、
前記動作制御部で制御するための組合せの情報を記憶する記憶部とを備え、
前記動作制御部は、前記入出力切替部に対で入力される映像信号と音声信号の組合せ以外に、特定の組合せを任意に設定し、設定された前記特定の組合せの情報を前記記憶部に記憶する信号選択装置。
【請求項２】
前記動作制御部は、前記特定の組合せが選択され、その出力が前記映像音声記録装置において記録されている状態において、選択されている映像信号または音声信号の何れか一方の入力が終了した場合、少なくとも前記映像音声記録装置の記録動作を停止する様に制御する請求項１記載の信号選択装置。
【発明の詳細な説明】
【０００１】
【発明の属する技術分野】
本発明は、複数ある映像信号及び音声信号の各々を自由に選択し、出力または記録する信号選択装置に関するものである。
【０００２】
【従来の技術】
近年、映像信号や音声信号を扱うオーディオ・ビジュアル機器（ＡＶ機器）は、テレビやビデオテープレコーダー以外にも光ディスク装置や磁気ディスク装置など、従来以上にその種類が増えてきており、多くのＡＶ機器の出力の中から選択して視聴する利用形態が一般的である。そのような利用形態の中で、あるＡＶ機器からの音声信号を聞きながら他のＡＶ機器からの映像信号を見たいなど、音声信号と映像信号を独立して各ソースから選択したいというニーズも増加してきている。
【０００３】
図７は、従来の信号選択装置の構成を示すブロック図であり、以下、図面を用いて説明する。
【０００４】
図７において、７６は外部から映像信号および音声信号（以下、ＡＶ信号と称す）を入力する外部入力端子であり、７３はＴＶチューナーなどの受信選局部であり、７４はデジタルビデオディスクプレーヤ（ＤＶＤプレーヤ）などの光ディスク再生装置であり、７５はビデオテープレコーダー（ＶＴＲ）などの磁気記録再生装置であり、７７はＡＶ信号をＴＶモニタやスピーカーに出力するための外部入力端子であり、７１は、外部入力端子７６、受信選局部７３光ディスク再生部７４および磁気記録再生装置７５からＡＶ信号を入力し、選択した上で磁気記録再生装置７５および外部出力端子７７へＡＶ信号を出力する入出力切替部であり、７２は入出力切替部７１を制御する動作制御部であり、７８は動作制御部７２の制御を操作するための操作部であり、７９は動作制御部７２の動作状態を映像信号として出力するためのオンスクリーンディスプレイ回路（以下、ＯＳＤ）であり、８０は動作制御部７２の動作状態を表示するための表示部でる。
【０００５】
以上の様に構成された信号選択装置は、図８に示すフローチャートによって、出力するＡＶ信号が選択され入出力が切り替えられる。図８において、初めに操作部７８で選択指示された機器が受信選局部７３（ＴＶ）であるか判断し、そうであれば受信選局部７３のＡＶ信号を選択し、否であれば、選択指示された機器が磁気記録再生部７５（ＶＴＲ）であるか判断し、そうであれば磁気記録再生部７５のＡＶ信号を選択し、否であれば、選択指示された機器が光ディスク再生部７４（ＤＶＤ）であるか判断し、そうであれば光ディスク再生部７４のＡＶ信号を選択し、否であれば、選択指示された機器が外部入力端子７６（ＡＵＸ）であと判断し、外部入力端子７６を選択し、処理を終了する。
【０００６】
以上の動作は、動作制御部７２で判断され、この結果に基づいて入出力切替部７１を制御することで実現される。
【０００７】
一方、映像信号と音声信号とを独立に選択して出力する場合には、操作部７８において、映像信号用の機器の選択と音声信号用の機器の選択を個別に行い、設定していく必要がある（例えば特許文献１参照）。この場合は、選択モードとした後、映像信号の選択か音声信号の選択かを行った後、それぞれのソースとなる機器を選択する。なお、サイマルキャスト方式の放送を受信する場合には、サイマルキャストモードを選択することで機能切替が可能である。
【０００８】
【特許文献１】
特公平７−６１０２７号公報（第３頁、第３図）
【０００９】
【発明が解決しようとする課題】
しかしながら上記の構成では、選択できる映像信号と音声信号の種類が増えれば増えるほど、その選択操作は煩雑となり、ユーザが良く用いる組合せがある場合でも、使用する都度、その選択操作を実施しなければならなかった。
【００１０】
本発明は上記従来の課題を解決するもので、複数ある映像信号と音声信号の組合せの中から、任意の組合せを設定して選択する際の利便性の向上が図られた信号選択装置を提供することを目的とする。
【００１１】
【課題を解決するための手段】
この目的を達成するために本発明の信号選択装置は、複数の映像信号および複数の音声信号から任意の組合せで映像信号と音声信号を選択可能な装置であって、複数の機器から映像信号および音声信号が入力され、各々独立に選択された映像信号と音声信号を他の機器に出力する入出力切替部と、入出力切替部における信号の組合せ選択動作を制御する動作制御部と、動作制御部で制御するための組合せの情報を記憶する記憶部とを備え、動作制御部は、入出力切替部に対で入力される映像信号と音声信号の組合せ以外に、特定の組合せを任意に設定し、設定された特定の組合せの情報を記憶部に記憶するものである。
【００１２】
この構成によって、複数ある映像信号と音声信号の組合せの中から、任意に設定した特定の組合せの映像信号と音声信号とを簡単かつ容易に選択することができる。
【００１３】
【発明の実施の形態】
本発明の請求項１に記載の発明は、複数の映像信号および複数の音声信号から任意の組合せで映像信号と音声信号を選択可能な装置であって、外部入力端子または映像音声信号出力装置から複数の映像信号および複数の音声信号が入力され、各々独立に選択された映像信号と音声信号を外部出力端子または映像音声信号記録装置に出力する入出力切替部と、前記入出力切替部における信号の組合せ選択動作を制御する動作制御部と、前記動作制御部で制御するための組合せの情報を記憶する記憶部とを備え、前記動作制御部は、前記入出力切替部に対で入力される映像信号と音声信号の組合せ以外に、特定の組合せを任意に設定し、設定された前記特定の組合せの情報を前記記憶部に記憶するものであり、これにより、複数ある映像信号と音声信号の組合せ群の中から、特定の組合せを任意に設定および選択可能となり、利用者の嗜好に合致したＡＶ信号の組合せを簡単かつ容易な操作で選択することができるという作用を有する。
【００１４】
また、本発明の請求項２の発明は、上記発明において、前記動作制御部は、前記特定の組合せが選択され、その出力が前記映像音声記録装置において記録されている状態において、選択されている映像信号または音声信号の何れか一方の入力が終了した場合、少なくとも前記映像音声記録装置の記録動作を停止する様に制御するものであり、これにより、任意の組合せのＡＶ信号を記録している場合でも、一方の信号の終了に合わせて、その記録を停止することができるという作用を有する。
【００１５】
以下、本発明の実施の形態について、図面を用いて説明する。
【００１６】
（実施の形態）
図１は、本発明の実施の形態による信号選択装置の構成を示すブロック図である。
【００１７】
図１において、６は外部の機器から映像信号および音声信号（何れか一方でもよい）を入力する外部入力端子であり、３はＴＶチューナーなどの受信選局部であり、４はＤＶＤプレーヤなどの光ディスク再生部であり、５はビデオテープレコーダーなどの磁気記録再生部であり、７はＡＶ信号をＴＶモニタやスピーカーに出力するための外部入力端子であり、１は、外部入力端子６、受信選局部３、光ディスク再生部４および磁気記録再生部５からＡＶ信号を入力し、選択した上で磁気記録再生部５および外部出力端子７へＡＶ信号を出力する入出力切替部であり、２は入出力切替部１、受信選局部３、光ディスク再生部４および磁気記録再生部５を制御する動作制御部であり、８は動作制御部２の制御を操作するための操作ボタンやリモートコントローラなどの操作部であり、９は入出力切替部１の選択パターン（選択のための情報）を記憶する不揮発性半導体メモリなどの記憶部であり、１０は動作制御部２の動作状態を映像信号として外部出力端子７に重畳して出力するためのオンスクリーンディスプレイ回路（以下、ＯＳＤ）であり、１１は動作制御部２の動作状態を表示するための表示部でる。
【００１８】
ここで、受信選局部３、光ディスク再生部４および磁気記録再生部５は、映像音声信号出力装置としての機能を有するものであり、磁気記録再生部５は、映像音声信号記録装置としての機能を有するものである。
【００１９】
上記の様に構成された信号選択装置は、例えば図２に示すような操作環境を有している。図２は、入出力切替部１で選択するＡＶ信号のソースを示し、表示部１１での表示状態やＯＳＤ１０からの情報を基に外部のモニタなどでの表示状態の概念を示したものである。即ち、受信選局部３（ＴＶ）、磁気記録再生装置５（ＶＴＲ）、光ディスク再生部４（ＤＶＤ）、外部入力端子６（ＡＵＸ）、３つの特定の組合せ（ＭＩＸ１〜ＭＩＸ３）が選択可能である。
【００２０】
操作部８において、図２に示した操作環境から何れかの選択指令がなされた場合、図３に示すフローチャートによって、出力するＡＶ信号が選択され入出力が切り替えられる。図３において、初めに操作部８で選択指示された機器が受信選局部３（ＴＶ）であるか判断し、そうであれば受信選局部３のＡＶ信号を選択し、否であれば、選択指示された機器が磁気記録再生部５（ＶＴＲ）であるか判断し、そうであれば磁気記録再生部５のＡＶ信号を選択し、否であれば、選択指示された機器が光ディスク再生部４（ＤＶＤ）であるか判断し、そうであれば光ディスク再生部４のＡＶ信号を選択し、否であれば、選択指示された機器が外部入力端子６（ＡＵＸ）であるか判断し、そうであれば外部入力端子６を選択し、否であれば、選択指示がＭＩＸ１であるか判断し、そうであれば受信選局部３の映像信号と光ディスク再生部４の音声信号を選択し、否であれば、選択指示がＭＩＸ２であるか判断し、そうであれば磁気記録再生部５の映像信号と光ディスク再生部４の音声信号を選択し、否であれば、選択指示がＭＩＸ３であると判断し、外部入力端子６の映像信号と光ディスク再生部４の音声信号を選択し、処理を終了する。以上の動作は、動作制御部２で判断され、この結果に基づいて、記憶部９の内容を参照しながら入出力切替部１を制御することで実現される。
【００２１】
これにより、例えば、ＭＩＸ１が選ばれた場合は、外部出力端子７からは、受信選局部３の映像信号と光ディスク再生部４の音声信号とが組み合わされて出力される。また、これを磁気記録再生部５で記録することも可能である。
【００２２】
図２で示した特定の組合せ（ＭＩＸ１〜ＭＩＸ３）の少なくとも１つは、任意に設定することができる。その設定は、図４に示したフローチャートにより実行される。図４において、操作部８を用いて、映像ソース（映像信号を出力する機器）を選択する。次に、音声ソース（音声信号を出力する機器）を選択する。次に選択された組合せを、どの操作ボタンに設定するか選択し、その組合せの情報を記憶部９に記憶する。こうすることで、利用者が自分の嗜好に基づき、あるいは自分のシステム構成に基づき自由に設定登録することができる。
【００２３】
これにより、よく利用するＡＶ信号の特定の組合せを簡単に選択することができ、その利便性が向上する。
【００２４】
なお、ＡＶ信号の組合せは、入出力切替部１に入力される機器の種類により決定され、図１に示した例では、４つの機器であるので、１６通りの組合せになるが、対となるＡＶ信号を除くと１２通りの組合せが任意に設定登録可能となる。即ち、入出力切替部１に入力される機器の数をＮ（自然数）とすると、その任意に設定可能な組合せは、Ｎ×（Ｎ−１）通りである。本実施の形態における組合せの状況を図５に示す。図５で示されるように、図２で示した例では、音声信号がＤＶＤの場合の組合せを、ＭＩＸ１〜ＭＩＸ３として設定している。ここで、太線で囲んだ範囲の組合せは、磁気記録再生部５（ＶＴＲ）を含んでいないので、磁気記録再生部５で記録することが可能な組合せである。
【００２５】
また、例えばＭＩＸ１に基づき組合せが選択されていて、この組合せのＡＶ信号を磁気記録再生部５で記録している場合、光ディスク再生部４における再生が終了してしまう場合がある。この場合、途中から音声信号が無音のまま、記録が継続されてしまうことになる。従って、本実施の形態では、このような場合に動作制御部２が磁気記録再生部５を制御し、記録を停止させる。
【００２６】
この動作を図６のフローチャートを用いて説明する。
【００２７】
動作制御部２は、入力として選択されている機器の動作（あるいは出力信号の有無）を監視し、例えば、ＭＩＸ１が選択されている場合では、光ディスク再生部４の音声信号の再生が終了したのかどうかを判断する。終了であれば、磁気記録再生部５を制御し、記録動作を停止する。終了でなければ、受信選局部３の映像信号の出力が停止したのかどうかを判断する。停止しているのであれば、磁気記録再生部５を制御し、その記録動作を停止する。停止でなければ、初めに戻る。
【００２８】
以上の動作により、途中からＡＶ信号の一方が途切れたまま、記録を継続することがなく、一方の信号の再生時間に合わせた記録が可能となる。
【００２９】
なお、上記実施の形態において、入出力切替部１に接続される機器として、受信選局部３、光ディスク再生部４、磁気記録再生部５を例に説明したが、接続される機器の数は、これらに限定されるものではなく、更に、光ディスク再生部４は、記録機能を備えた光ディスク記録再生部としても良いし、磁気記録再生部５は、デジタル方式のものであっても、アナログ方式のものであってもよい。その他に、磁気ディスク記録再生装置や半導体記録再生装置を接続させてもよい。また、これらの機器の全てまたは一部は、本発明による信号選択装置と一体的に構成されても、個別に接続されてもよい。
【００３０】
また、上記実施の形態において、自由に設定登録できる任意の組合せが３つ（ＭＩＸ１〜３）の例を示したが、この数は何ら限定されるものではなく、１以上であれば、幾つであっても良い。
【００３１】
【発明の効果】
以上の様に本発明は、ユーザーの嗜好や使用頻度によって、自由に映像信号と音声信号の組合せを設定登録できるので、簡単な操作により視聴または記録したいＡＶ信号を選択することができるという効果が得られる。
【図面の簡単な説明】
【図１】本発明の実施の形態による信号選択装置の構成を示すブロック図
【図２】同信号選択装置の操作環境を示す概念図
【図３】同信号選択装置の選択動作を示すフローチャート
【図４】同信号選択装置における所望の組合せを行う際のフローチャート
【図５】同信号選択装置における組合せのパターンを示す図
【図６】同信号選択装置における記録停止動作を示すフローチャート
【図７】従来の信号選択装置の構成を示すブロック図
【図８】従来の信号選択装置の選択動作を示すフローチャート
【符号の説明】
１　入出力切替部
２　動作制御部
３　受信選局部
４　光ディスク再生部
５　磁気記録再生部
６　外部入力端子
７　外部出力端子
８　操作部
９　記憶部
１０　オンスクリーンディスプレイ回路
１１　表示部
【図１】
2004120048.tif 000003
【図２】
2004120048.tif 000004
【図３】
2004120048.tif 000005
【図４】
2004120048.tif 000006
【図５】
2004120048.tif 000007
【図６】
2004120048.tif 000008
【図７】
2004120048.tif 000009
【図８】
2004120048.tif 000010